(57)【特許請求の範囲】
【請求項１】
一方の足場板の桁側端部にこれと直交する他方の足場板の妻側端部が接続された仮設足場のコーナー部においてその出隅部となる前記一方の足場板の妻側端部に設置する出隅用幅木であって、前記一方の足場板の妻側端部上に起立姿勢に載置される幅木本体を有し、幅木本体の一端部には、端部枠を、幅木本体の高さ方向中央部位で水平支軸の周りに回転可能に設けると共に、端部枠を定位置に固定する固定手段を設け、この端部枠には、前記一方の足場板の桁側端部上に載置固定される桁側幅木の端部を掴持する掴持フックを水平方向に回転可能に設け、幅木本体の他端部には、前記他方の足場板の桁側端部上に載置固定される桁側幅木の端部に嵌合して連結する連結金具を設けてなる出隅用幅木。
【請求項２】
幅木本体の他端部には、前記他方の足場板の桁側端部上に載置固定される桁側幅木の端部に嵌合して連結する連結金具を設けると共に、バネの付勢力によってピン先端部が前記桁側幅木の側壁部に設けたピン孔に突入するようにした固定ピンを設けてなる請求項１に記載の出隅用幅木。
【請求項３】
端部枠を定位置に固定する固定手段は、バネの付勢力によってピン先端部を幅木本体側から端部枠の所要位置に設けたピン孔に突入させるようにした回転防止ピンからなる請求項１又は２に記載の出隅用幅木。
【請求項４】
掴持フックは、水平板部の先端から垂直板部が下向きに突設されていて、水平板部の基端部が取付軸により端部枠の上端部に水平方向回転可能に取り付けられるＬ形のフック本体と、垂直板部を水平板部と略平行に螺通する締付用螺軸とからなるもので、フック本体を前記桁側幅木の上端部に乗せ掛けて締付用螺軸を回すことにより、螺軸の先端部を桁側幅木の側壁部に押し付けて桁側幅木の端部を掴持するようにした請求項１〜３の何れかに記載の出隅用幅木。
【請求項５】
掴持フックは、基端部が取付軸により幅木本体の端部上面に水平方向回転可能に取り付けられる水平材と、上端部に設けた前記水平材の断面形状に対応する形状の貫通孔に水平材を嵌挿させることにより水平材にスライド可能に取り付けられる垂直材と、垂直材の下端部を水平材と略平行に螺通する締付用螺軸とからなり、水平材及び垂直材を前記桁側幅木の上端部に乗せ掛け、水平材に沿って垂直材をスライドさせて螺軸先端部を桁側幅木の側壁部に当接させた状態で、締付用螺軸を回して締め込むことにより、垂直材の貫通孔が水平材に対し噛み込み力を発生して垂直材をロックし、それによって桁側幅木の端部を掴持するようにした請求項１〜３の何れかに記載の出隅用幅木。
【請求項６】
水平材の先端部には、水平材に嵌挿された垂直材が水平材から抜け出るのを防ぐ抜け止め部を設けている請求項５に記載の出隅用幅木。
【請求項７】
垂直材の下部側は、桁側幅木に近づくように上部側に対し傾斜している請求項５又は６に記載の出隅用幅木。
【請求項８】
締付用螺軸の先端部には、桁側幅木の側壁部に当接する皿形の当て金を回転可能に取り付けてなる請求項４〜７の何れかに記載の出隅用幅木。
【請求項９】
掴持フックは、水平板部の先端から圧接用板部が下向きで斜め内向きに突設されていて、水平板部の基端部が取付軸により端部枠の上端部に水平方向回転可能に取り付けられるＬ形の板バネフック本体からなるもので、板バネフック本体を前記桁側幅木の上端部に係嵌させて、この板バネフック本体のバネ付勢力で桁側幅木の端部を掴持するするようにした請求項１〜３の何れかに記載の出隅用幅木。
【請求項１０】
掴持フックは、水平部の先端から垂直部が下向きに突設され更に垂直部の先端から突端部が水平部と平行に内向きに突設されたフック本体と、端部枠の上端部に水平方向回転可能に取り付けられていて、フック本体の水平部をスライド可能に支持するフック支持部材と、フック本体とフック支持部材との間に介装されていて、フック本体をその突端部が常時突出方向に引っ張られるように付勢するバネとからなるもので、フック本体を前記桁側幅木の上端部に係嵌させ、前記バネの付勢力で桁側幅木の端部を掴持するようにした請求項１〜３の何れかに記載の出隅用幅木。
【発明の詳細な説明】
【技術分野】
【０００１】
本発明は、一方の足場板の桁側端部にこれと直交する他方の足場板の妻側端部が接続された仮設足場のコーナー部においてその出隅部となる前記一方の足場板の妻側端部に設置する出隅用幅木に関する。
【背景技術】
【０００２】
仮設足場での作業においては、作業者の手にしたボルト・ナット、金具等の種々の作業用部品や工具類、足元に置いた各種資材や用具類等を誤って落下させ、事故につながるという危険性が常に付きまとう。そこで、足場板の桁側端部には桁側幅木を取り付け、また足場板の妻側端部には妻側幅木を取り付けるようになっている。
【０００３】
ところで、桁側幅木としては、従来より足場板の桁側端部に沿って簡単容易に設置できるようにしたものが種々提供されているが、特に、一方の足場板の桁側端部にこれと直交する他方の足場板の妻側端部が接続された仮設足場のコーナー部において、その出隅部となる足場板の妻側端部に出隅用幅木を設置するのに、従来では、その出隅用幅木の両端部を、隣接する桁側幅木の端部に夫々ワイヤー等でつなぎ止めることによって固定するようにしているため、その出隅用幅木の設置作業に手間がかかる上に、その取外し作業も非常に面倒であった。
【発明の概要】
【発明が解決しようとする課題】
【０００４】
本発明は、上記の事情に鑑み、仮設足場のコーナー部においてその出隅部となる足場板の妻側端部に簡単容易に設置できるようにした出隅用幅木を提供することを目的としている。
【課題を解決するための手段】
【０００５】
上記課題を解決するための手段を、後述する実施形態の参照符号を付して説明すると、請求項１に係る発明は、一方の足場板Ｐａの桁側端部にこれと直交する他方の足場板Ｐｂの妻側端部が接続された仮設足場のコーナー部においてその出隅部となる前記一方の足場板Ｐａの妻側端部に設置する出隅用幅木１であって、前記一方の足場板Ｐａの妻側端部上に起立姿勢に載置される幅木本体３を有し、幅木本体３の一端部には、端部枠７を、幅木本体３の高さ方向中央部位で水平支軸８の周りに回転可能に設けると共に、端部枠７を定位置に固定する固定手段９を設け、この端部枠７には、前記一方の足場板Ｐａの桁側端部上に載置固定される桁側幅木２の端部を掴持する掴持フック４を水平方向に回転可能に設け、幅木本体３の他端部には、前記他方の足場板Ｐｂの桁側端部上に載置固定される桁側幅木２の端部に嵌合して連結する連結金具５を設けてなることを特徴とする。
【０００６】
請求項２は、請求項１に記載の出隅用幅木において、幅木本体３の他端部には、前記他方の足場板Ｐｂの桁側端部上に載置固定される桁側幅木２の端部に嵌合して連結する連結軸３を設けると共に、バネ３３の付勢力によってピン先端部６ｏが前記桁側幅木２の側壁部に設けたピン孔３２に突入するようにした固定ピン６を設けてなることを特徴としている。
【０００７】
請求項３は、請求項１又は２に記載の出隅用幅木において、端部枠７を定位置に固定する固定手段９は、バネ２５の付勢力によってピン先端部１６ｏを幅木本体３側から端部枠７の所要位置に設けたピン孔２４に突入させるようにした回転防止ピン１６からなることを特徴とする。
【０００８】
請求項４は、請求項１〜３の何れかに記載の出隅用幅木において、掴持フック４は、図４に示すように、水平板部１０ａの先端から垂直板部１０ｂが下向きに突設されていて、水平板部１０ａの基端部が取付軸１４により端部枠７の上端部に水平方向回転可能に取り付けられるＬ形のフック本体１０と、垂直板部１０を水平板部１０ａと平行に螺通する締付用螺軸１１とからなるもので、フック本体１０を前記桁側幅木２の上端部に乗せ掛けて締付用螺軸１１を回すことにより、螺軸１１の先端部を桁側幅木２の側壁部に押し付けて桁側幅木２の端部を掴持するようにしたことを特徴とする。
【０００９】
請求項５は、請求項１〜３の何れかに記載の出隅用幅木において、掴持フック４は、図９に示すように、基端部が取付軸１４により幅木本体３の端部上面に水平方向回転可能に取り付けられる水平材４１と、上端部に設けた前記水平材４１の断面形状に対応する形状の貫通孔４３に水平材４１を嵌挿させることにより水平材４１にスライド可能に取り付けられる垂直材４２と、垂直材４２の下端部を水平材４１と略平行に螺通する締付用螺軸１１とからなり、水平材４１及び垂直材４２を前記桁側幅木２の上端部に乗せ掛け、水平材４１に沿って垂直材４２をスライドさせて螺軸１１先端部を桁側幅木２の側壁部に当接させた状態で、締付用螺軸１１を締め込むことにより、垂直材４２の貫通孔４３が水平材４１に対し噛み込み力を発生させて垂直材４２をロックし、それによって桁側幅木２の端部を掴持するようにしたことを特徴とする。
【００１０】
請求項６は、請求項５に記載の出隅用幅木において、水平材４１の先端部には、水平材４１に嵌挿された垂直材４２が水平材４１から抜け出るのを防ぐ抜け止め部４５を設けていることを特徴とする。
【００１１】
請求項７は、請求項５又は６に記載の出隅用幅木において、垂直材４２の下部側は、桁側幅木２に近づくように上部側に対し傾斜していることを特徴とする。
【００１２】
請求項８は、請求項４〜７に記載の出隅用幅木において、図８の(a) に示すように、締付用螺軸１１の先端部に、桁側幅木２の側壁部に当接する皿形の当て金３５を回転可能に取り付けてなることを特徴とする。
【００１３】
請求項９は、請求項１〜３の何れかに記載の出隅用幅木において、掴持フック４は、図８の(b) に示すように、水平板部３６ａの先端から圧接用板部３６ｂが下向きで斜め内向きに突設されていて、水平板部３６ａの基端部が取付軸１４により端部枠７の上端部に水平方向回転可能に取り付けられるＬ形の板バネフック本体３６からなるもので、板バネフック本体３６を前記桁側幅木２の上端部に係嵌させて、この板バネフック本体３６のバネ付勢力で桁側幅木２の端部を掴持するするようにしたことを特徴とする。
【００１４】
請求項１０は、請求項１〜３の何れかに記載の出隅用幅木において、掴持フック４は、図８の(c) に示すように、水平部３７ａの先端から垂直部３７ｂが下向きに突設され更に垂直部３７ｂの先端から突端部３７ｃが水平部３７ａと平行に内向きに突設されたフック本体３７と、端部枠７の上端部に水平方向回転可能に取り付けられていて、フック本体３７の水平部３７ａをスライド可能に支持するフック支持部材３８と、フック本体３７とフック支持部材３８との間に介装されていて、フック本体３７をその突端部３７ｃが常時突出方向に引っ張られるように付勢するコイルバネ３９とからなるもので、フック本体３７を前記桁側幅木２の上端部に係嵌させ、前記バネ３９の付勢力で桁側幅木２の端部を掴持するようにしたことを特徴とする。
【発明の効果】
【００１５】
上記解決手段による発明の効果を、後述する実施形態の参照符号を付して説明すると、請求項１に係る発明の出隅用幅木によれば、出隅部となる一方の足場板Ｐａの妻側端部上に起立姿勢に載置される幅木本体３の一端部に、端部枠７を、幅木本体３の高さ方向中央部位で水平支軸８の周りに回転可能に設けると共に、端部枠７を定位置に固定する固定手段９を設け、この端部枠７には、一方の足場板Ｐａの桁側端部上に載置固定される桁側幅木２の端部を掴持する掴持フック４を水平方向に回転可能に設け、幅木本体３の他端部には、他方の足場板Ｐｂの桁側端部上に載置固定される桁側幅木２の端部に嵌合して連結する連結金具５を設けているから、幅木本体３の一端部の端部枠７にある掴持フック４を、幅木本体３の長手方向に延ばした状態で、足場板Ｐａの桁側端部上に幅木本体３と直交する方向に載置固定されている桁側幅木２の上端部に乗せ掛けて、桁側幅木２の一端部を掴持すると共に、幅木本体３の他端部側にある連結金具５を、他方の足場板Ｐｂの桁側端部上に設置されている桁側幅木２の端部に嵌合することによって、出隅用幅木１を簡単容易に設置することができる。従って、また、この出隅用幅木によれば、足場の設置状況によって幅木本体３の左右の位置関係や内外の位置関係が逆になっても、幅木本体３の一端部にある端部枠７を幅木本体３に対し反転させることで容易に対応が可能となる効果を奏する。更にこの出隅用幅木によれば、幅木本体３は、他方の足場板Ｐｂ側に設置されている桁側幅木２と同一軸状、つまり面一状に設置されるから、幅木本体３を足場板Ｐａの妻側端部ぎりぎりの位置に載置できて、作業面積を有効に利用できる効果を奏する。
【００１６】
請求項２に係る発明によれば、幅木本体３の他端部に設けた固定ピン６を桁側幅木２のピン孔３２に突入することにより、風圧等による幅木本体３の浮き上がりを防止できる。またこの固定ピン６は、バネ３３の付勢力でピン先端部６ｏが桁側幅木２のピン孔３２に突入するようになっているから、構造が簡単で、操作も容易となる。
【００１７】
請求項３に係る発明によれば、端部枠７を定位置に固定する固定手段９は、バネ２５の付勢力でピン先端部１６ｏを幅木本体３側から端部枠７の所要位置に設けたピン孔２４に突入させるようにした回転防止ピン１６からなるため、構造的に簡単で、操作も簡単容易となる。
【００１８】
請求項４に係る発明によれば、掴持フック４は、水平板部１０ａ先端から垂直板部１０ｂが下向きに突設されて、水平板部１０ａの基端部が取付軸１４により端部枠７の上端部に水平方向回転可能に取り付けられるＬ形フック本体１０と、垂直板部１０ｂを水平板部６ａと平行に螺通する締付用螺軸１１とからなるもので、フック本体１０を桁側幅木２の上端部に乗せ掛けて締付用螺軸１１を回すことにより、螺軸１１の先端部を桁側幅木２の側壁部に押し付ければよいから、締付用螺軸１１の締付作用によって桁側幅木２を確実且つ強固に掴持することができる。
【００１９】
請求項５に係る発明によれば、掴持フック４の水平材４１及び垂直材４２を桁側幅木２の上端部に載せ掛け、そして垂直材４２を水平材４１に沿って桁側幅木２に近づく方向にスライドさせて、螺軸１１の先端部を桁側幅木２の側壁部に当接させた状態で、締付用螺軸１１を締め込んでゆくと、垂直材４２の貫通孔４３がその両端側で水平材４１に対し噛み込み力Ｆを発生して、垂直材４２が水平材４１に対しロックされ、それにより掴持フック４が桁側幅木２を出隅用幅木１側に引き付けて掴持する。特に垂直材４２の貫通孔４３が水平材４１に対し夫々噛み込み力Ｆを発生するから、締付用螺軸１１を軽く締め込むだけで、垂直材４２が水平材４１に対しロックされて、掴持フック４が桁側幅木２を強固に掴持することができる。
【００２０】
請求項６に係る発明によれば、水平材４１先端部に抜け止め部４５を設けているから、水平材４１に嵌挿された垂直材４２が水平材４１から抜け出るのを防止できる。
【００２１】
請求項７に係る発明によれば、垂直材４２の下部側が桁側幅木２に近づくように上部側に対し傾斜しているから、垂直材４２の全体が真っ直ぐに形成されている場合に比べて、締付用螺軸７の締め付けによって垂直材１２の水平材１１への前記噛み込みを良好にすると共に、締付用螺軸７が螺合する垂直材１２の下部１２ｂ側が垂直方向に若干量変位するため締付用螺軸７の締め付け操作が容易になる利点がある。
【００２２】
請求項８に係る発明によれば、締付用螺軸１１をねじ込み方向に回転させて、その先端部を桁側幅木２の側壁部に押し付ける時に、螺軸１１が回転しても、皿形の当て金３５が側壁部に押し付けられたままで回転しないため、桁側幅木２の側壁部が不都合に変形したり傷を付けられることがない上に、皿形当て金３５の摩擦力によって螺軸１１を安定良く固定させることができる。
【００２３】
請求項９に係る発明によれば、掴持フック４が、水平板部３６ａの先端から圧接用板部３６ｂが下向きで斜め内向きに突設されていて、水平板部３６ａの基端部が取付軸１４により端部枠７の上端部に水平方向回転可能に取り付けられるＬ形の板バネフック本体３６からなるため、掴持フック４の構造が簡単で、部品点数が少なく、製作コストを低減することができる。
【００２４】
請求項１０に係る発明によれば、掴持フック４が、フック本体３７と、フック支持部材３８と、フック本体３７とフック支持部材３８との間に介装されたコイルバネ３９とからなるもので、フック本体３７を桁側幅木２の上端部に係嵌させ、コイルバネ３９の付勢力で桁側幅木２を幅木本体３側に引き付けることによって桁側幅木２を掴持するようにしたもので、掴持フック４の構造が簡単であるから、製作コストを低減することができる。
【図面の簡単な説明】
【００２５】
【図１】本発明に係る出隅用幅木の実施形態を示す平面図である。
【図２】(a) は本発明に係る出隅用幅木をその外面側から見た正面図、(b) は平面図である。
【図３】(a) は図１の矢印Ａから見た出隅用幅木取付部分の斜視図、(b) は同図の矢印Ｂから見た出隅用幅木取付部分の斜視図である。
【図４】(a) は図３の(a) に示される出隅用幅木取付部分の正面図、(b) はその平面図である。
【図５】(a) は図３の(b) に示される出隅用幅木取付部分を足場の外側から見た正面図、(b) はその平面図である。
【図６】(a) は桁側幅木の一部を示す正面図、(b) はその平面図である。
【図７】(a) はブラケットに取り付けた状態の回転防止ピンを示す斜視図、(b) はその平面図、(c) は正面図である。
【図８】(a) 〜(c) は掴持フックの他の種々の実施形態を示す側面図である。
【図９】(a) は掴持フックの他の実施形態を示す斜視図、(b) は同掴持フックの正面図である。
【図１０】図９に示す掴持フックの使用状態を説明する説明図である。
【図１１】図９に示す掴持フックの作用を説明する説明図である。
【発明を実施するための形態】
【００２６】
以下に本発明の好適な一実施形態を図面に基づいて説明すると、図１〜図５において、１は本発明に係る出隅用幅木を示す。この出隅用幅木１は、図１に示から分かるように、一方の足場板Ｐａの桁側端部にこれと直交する他方の足場板Ｐｂの妻側端部が接続された仮設足場のコーナー部において、その出隅部となる一方の足場板Ｐａの妻側端部に設置するための幅木である。また図１において、２は足場板Ｐａ，Ｐｂの桁側端部上に設置された従来の桁側幅木を示す。尚、図３の(a) は図１の矢印Ａから見た出隅用幅木取付部分の斜視図であり、(b) は同図の矢印Ｂから見た出隅用幅木取付部分の斜視図である。
【００２７】
出隅用幅木１は、図１〜図５に示すように、一方の足場板Ｐａの妻側端部上に起立姿勢に載置される幅木本体３を有し、この幅木本体３の一端部には、端部枠７を、幅木本体３の高さ方向中央部に位置する水平支軸８の周りに回転可能に設けると共に、この端部枠７を定位置に固定する固定手段９を設け、またこの端部枠７には、前記一方の足場板Ｐａの桁側端部上に載置固定される桁側幅木２の端部を掴持する掴持フック４を水平方向に回転可能に設け、幅木本体３の他端部には、前記他方の足場板Ｐｂの桁側端部上に載置固定される桁側幅木２の端部に嵌合して連結するコ字枠状の連結金具５と、コイルバネ３３の付勢力によってピン先端部６ｏが桁側幅木２の側壁部１７ａに設けたピン孔３２に突入するようにした固定ピン６とを設けてなるものである。
【００２８】
この出隅用幅木１の構造について更に詳しく説明すれば、幅木本体３は、図２〜図５に示すように、金属板材によって、側壁部３ａと、上壁部３ｂと、下壁部３ｃと、上下壁部３ｂ，３ｃから夫々内向きに突出するフランジ３ｄとからなる断面略コ字状に形成されたもので、この幅木本体３の一端部には、図４から分かるように、断面内向きコ字状の補強枠２１がリベットＲで取り付けられ、このコ字状補強枠２１の外端面に、同様な断面コ字状の端部枠７が背中合わせに配置されて、幅木本体３の高さ方向中央位置で両枠７，２１の背面壁部７ａ，２１ａどうしを貫通する水平支軸８により、この端部枠７が幅木本体３に対し回転可能に取り付けられている。水平支軸８はボルト・ナットからなる。
【００２９】
掴持フック４は、図３及び図４から分かるように、水平板部１０ａの先端から垂直板部１０ｂが下向きに突設されていて、水平板部１０ａの基端部が取付軸１４によって端部枠７の上端部に水平方向回転可能に取り付けられるＬ形のフック本体１０と、垂直板部１０ｂに設けてある軸挿通孔１２に取り付けられたナット１３を螺通して水平板部１０ａと平行に延びる締付用螺軸１１とからなるもので、フック本体１０を、図３の(a) 及び図４に示すように桁側幅木２の上端部に乗せ掛けて、締付用螺軸１１を締付方向に回すことにより、螺軸先端部を桁側幅木２の幅木本体１７の側壁部１７ａに押し付けて、幅木本体３の端部を桁側幅木２側に引き付け、それにより桁側幅木２の端部を掴持して幅木本体３を桁側幅木２に固定することができる。
【００３０】
尚、端部枠７はコ字状の枠材からなるものであるが、この端部枠７の上端部には図４の(a) ，(b) に示すように上端壁７ｏが一体に延設されていて、この上端壁７ｏに、フック本体１０の水平板部１０ａの基端部が、ボルト・ナットからなる取付軸１４によって水平方向に回転可能に取り付けられている。
【００３１】
締付用螺軸１１は、図４の(a) に示すように、基端部側のネジ部１１ａと、先端部側のネジ部１１ｂと、両ネジ部１１ａ，１１ｂ間に形成された径小軸部１１ｃとからなるもので、その基端部に回転操作用の蝶形把手２７が設けられている。この締付用螺軸１１は、軸全長にわたってネジ部としてもよいが、そうすると、締付用螺軸１１の交換が必要となった時に、フック本体１０からの螺軸１１の取外し及び取付けに手間がかかり、交換作業に困難を来たすことになる。
【００３２】
そこで、締付用螺軸１１のネジ部は、フック本体１０側のナット１３に螺合する基端部側のみでも十分であるが、このように基端部側のネジ部１１ａのみとした場合、螺軸１１を緩めてナット１３から外すと、螺軸１１の全体がナット１３から抜けて脱落するため、その脱落を防止するには、螺軸１１の先端部にナット１３に螺合可能なネジ部１１ｂが必要となる。従って、この実施形態のように、螺軸１１を、基端部側ネジ部１１ａと、先端部側ネジ部１１ｂと、両ネジ部１１ａ，１１ｂ間の非ネジ部である径小軸部１１ｃとからなるものとした場合は、径小軸部１１ｃの部分は、螺軸１１を回転させることなく、スライドさせればよいから、螺軸１１の交換作業が容易になり、先端部側ネジ部１１ｂによって螺軸１１の脱落を防止することができる。
【００３３】
尚、足場板Ｐａ，Ｐｂの桁側端部上に設置される桁側幅木２は、図６の(a) 及び(b) に示すように、出隅用幅木１の幅木本体３と同じ様な断面略コ字状の幅木本体１７を有し、この幅木本体１７は、金属板材により、側壁部１７ａと、上壁部１７ｂと、下壁部１７ｃと、上下壁部１７ｂ，１７ｃから夫々内向きに突出するフランジ１７ｄとからなる断面略コ字状に形成されたもので、この幅木本体１７の前後両端部には夫々、平面視略コ字形の補強枠１８が取り付けられている。そして、この桁側幅木２は、桁側幅木固定ロッド１９を、幅木本体１７の上下両端面を貫通するように設けられた貫通孔２０に貫通して、足場板Ｐａ，Ｐｂの上面の桁側端部所定位置に設けられたロッド挿入孔２２に挿入することにより、足場板Ｐａ，Ｐｂの桁側端部上に起立姿勢に固定されるようになっている。
【００３４】
幅木本体３の端部枠７を定位置に固定する固定手段９は、図４及び図７に示すように、バネ２５の付勢力によりピン先端部１６ｏを幅木本体側から端部枠７の所要位置に設けたピン孔２４に突入させるようにした回転防止ピン１６からなる。即ち、回転防止ピン１６は、図４の(a) に示すように、直線状に延びるピン本体１６ａと、このピン本体１６ａの基端部から直角に突出する把手部１６ｂとによって略Ｌ字状に形成されたもので、ピン本体１６ａを、幅木本体３の側壁部３ａの外面側にリベットＲで取り付けたブラケット２３によって幅木本体３の長さ方向スライド自在に支持すると共に、ピン本体１６ａとブラケット２３との間に介装したコイルバネ２５によって、ピン本体１６ａの先端部１６ｏが、幅木本体３の端部枠７及び補強枠２１の背面壁部７ａ，２１ａに貫設されたピン孔２４から常時突出するようにピン本体１６ａを付勢している。
【００３５】
回転防止ピン１６を幅木本体３に取り付けるには、図４の(a) に示すように、ピン本体１６ａをスライド自在に支持してピン本体１６ａとの間にコイルバネ２５を介装したブラケット２３を、幅木本体３の側壁部３ａの外面側所要部に夫々リベットＲによって取り付け固定し、ピン本体１６ａの先端部１６ｏを、コイルバネ２５の付勢力によって、幅木本体３の端部枠７及び補強枠２１のピン孔２４から突出させるようにすればよい。
【００３６】
上記ブラケット２３は、図７の(a) 〜(c) に示すように、鋼板を折曲して凹部２６と凸部２７とを形成すると共に、凹部２６側の端部に立上部片２８を形成したもので、凸部２７の両端壁２７ａ，２７ｂに設けた貫通孔２９，２９に、回転防止ピン１６のピン本体１６ａを、スライド自在で且つその軸線回りに回転自在に挿通すると共に、ピン本体１６ａに嵌挿したコイルバネ２５の一端部を一方の端壁２７ａに当接し、その他端部をピン本体１６ａに貫通させた固定ピン３０に係止することによって、常時はピン本体１６ａの先端部１６ｏが外方へ突出するようにピン本体１６ａを付勢してロック状態とし、コイルバネ２５の付勢力に抗して把手部１６ｂを引っ張ることによりロック状態を解除でき、また把手部１６ｂを立上部片２８の係止溝２８ａに係止させることにより、ピン本体１６ａをロック解除状態に保持することができる。
【００３７】
図２及び図５に示すように、幅木本体３の他端部にはコ字枠状のブラケット３１がリベットＲで取り付けてあって、このブラケット３１にコ字枠状の連結金具５が背中合わせにリベットＲで固定されている。そして、バネ付勢力によりピン先端部６ｏが桁側幅木２の側壁部１７ａに設けたピン孔３２に突入するようにした固定ピン６は、ピン本体６ａと、ピン本体６ａの一端部から直角に折曲延設された基軸部６ｂと、ピン本体６ａの他端から基軸部６ｂと同方向に折曲延設されたピン先端部６ｏとからなるもので、基軸部６ｂが、コ字枠状ブラケット３１の高さ方向中央位置でこのコ字枠状ブラケット３１の内外側板部３１ａ，３１ｂに貫通支持されていて、この基軸部６ｂとブラケット３１との間に介装されたコイルバネ３３により、固定ピン６は、ピン先端部６ｏが桁側幅木２の側壁部１７ａに設けたピン孔３２に突入するように付勢されている。
【００３８】
この固定ピン６を使用する時は、ピン本体６ａをバネ３３の付勢力に抗して引っ張り、ピン先端部６ｏを桁側幅木２の端部にあるピン孔３２に突入させればよく、また固定ピン６を使用しない時は、基軸部６ｂを中心としてピン本体６ａを幅木本体３側に反転させ、ピン先端部６ｏを幅木本体３の側壁部３ａに設けたピン孔３４（図２の(a) ，(b) 参照）に突入することにより、幅木本体３側に折り畳んで収納する。
【００３９】
次に、上記のように構成される出隅用幅木１の取付方法につき説明すると、図１には、図面の上側と下側とに仮設足場のコーナー部が示されており、この図１の下側に示されるコーナー部の出隅部となる足場板Ｐａの妻側端部に出隅用幅木１を取り付けるには、この出隅用幅木１の幅木本体３を上方より足場板Ｐａの妻側端部上に下ろして起立姿勢に載置しながら、図３の(a) 及び図４の(a) ，(b) に示すように、幅木本体３の一端部の端部枠７に設けられた掴持フック４のフック本体１０を幅木本体３長手方向に延ばした状態で、足場板Ｐａの桁側端部上に幅木本体３と直交する方向に載置固定されている桁側幅木２の上端部に乗せ掛け、その位置で締付用螺軸１１をねじ込み方向に回転して、この螺軸１１の先端部７ｂを桁側幅木２の幅木本体１７の側壁部１７ａ外面に押し付けることにより、この掴持フック４で桁側幅木２の一端部を掴持し、それによって幅木本体３の一端部側を足場板Ｐｂ上の桁側幅木２に固定する。この時、端部枠７は、図４の(a) に示すように、固定手段９としての固定ピン６により回転しないよう幅木本体３に固定されている。
【００４０】
この幅木本体３の他端部側は、図３の(b) 及び図５の(a) ，(b) に示すように、コ字枠状の連結金具５内に、足場板Ｐｂの桁側端部上に載置固定された桁側幅木２の端部（補強枠１８）を嵌合した状態とすることによって、桁側幅木２と連結し、更に固定手段９である固定ピン６の先端部６ｏを桁側幅木２の端部にあるピン孔３２に突入することによってより確実に桁側幅木２と連結することができる。尚、この出隅用幅木１の取付けにあたっては、先に、幅木本体３の他端部側にあるコ字枠状の連結金具５を足場板Ｐｂにある桁側幅木２の端部に嵌合して連結し、その後に幅木本体３の一端部側の掴持フック４によって足場板Ｐａにある桁側幅木２の端部を掴持するようにする。
【００４１】
また、図１の上側に示されるコーナー部の出隅部となる足場板Ｐａの妻側端部に出隅用幅木１を取り付ける時は、出隅用幅木１を図２に示される形態のままで取り付けると、左右及び内外の位置関係が逆になって、取り付けられないため、幅木本体３の一端部側にある固定手段９の固定ピン６をロック解除して、端部枠７を幅木本体３に対し反転させ、そして固定ピン６をロックした状態で出隅用幅木１の全体を上下が逆になるように引っ繰り返すことにより、この出隅用幅木１は、図２及び図４に示される幅木１の形態とは左右及び内外の位置関係が逆になるから、図１の上側に示されるコーナー部の足場板Ｐａの妻側端部にそのまま使用できようになる。その使用方法は、上述した図１の下側のコーナー部の場合と同様である。
【００４２】
上記のように、この出隅用幅木１によれば、出隅部となる一方の足場板Ｐａの妻側端部上に起立姿勢に載置される幅木本体３の一端部に、端部枠７を、幅木本体３の高さ方向中央部位で水平支軸８周りに回転可能に設けると共に、端部枠７を定位置に固定する固定手段９を設け、この端部枠７に、一方の足場板Ｐａの桁側端部上に載置固定される桁側幅木２の端部を掴持する掴持フック４を水平方向に回転可能に設け、幅木本体３の他端部には、他方の足場板Ｐｂの桁側端部上に載置固定される桁側幅木２の端部に嵌合して連結する連結金具５を設けているから、幅木本体３の一端部側の端部枠７にある掴持フック４を、幅木本体３の長手方向に延ばした状態で、一方の足場板Ｐａの桁側端部上に幅木本体３と直交する方向に載置固定されている桁側幅木２の上端部に乗せ掛けて桁側幅木２の一端部を掴持すると共に、幅木本体３の他端部側にある連結金具５を、他方の足場板Ｐｂの桁側端部上に設置されている桁側幅木２の端部に嵌合することによって、出隅用幅木１を簡単容易に設置することができる。
【００４３】
そして、この場合、出隅用幅木１の幅木本体３は２他方の足場板Ｐｂ側に設置されている桁側幅木２と同一軸状、つまり面一状に設置されるから、幅木本体３を足場板Ｐａの妻側端部ぎりぎりの位置に載置できて、作業面積を有効に利用することができる。更にこの出隅用幅木１の大きな作用効果は、足場の設置状況によって、幅木本体３の左右の位置関係や内外の位置関係が逆になっても、幅木本体３の一端部にある端部枠７を幅木本体３に対し反転させることで容易に対応が可能となる点にある。
【００４４】
図８(a) 〜 (c)は掴持フック４の他の種々の実施形態を示すもので、(a) に示す掴持フック４は、締付用螺軸１１の先端部に、桁側幅木２の幅木本体１７の側壁部に当接する皿形（円錐台形）の当て金３５を回転のみ可能に取り付けた点が図２〜図４に示す掴持フック４と異なる。この実施形態によれば、締付用螺軸１１をねじ込み方向に回転させて、その先端部を桁側幅木２の幅木本体１７の側壁部外面に押し付ける時に、螺軸１１が回転しても、皿形の当て金３５は幅木本体１７の側壁部外面に押し付けられたままで回転しないため、幅木本体１７が不都合に変形したり傷を付けられることがない上に、螺軸１１の先端部を皿形当て金３５によって安定良く固定させることができる。
【００４５】
図８の(b) に示す掴持フック４は、水平板部３６ａの先端から圧接用板部３６ｂが下向きで斜め内向きに突設されていて、水平板部３６ａの基端部が取付軸１４により端部枠７の上壁部７ｏに水平方向回転可能に取り付けられるＬ形の板バネフック本体３６からなるもので、板バネフック本体３６を前記桁側幅木２の上端部に係嵌させて、この板バネフック本体３６のバネ付勢力で桁側幅木２の上端部を幅木本体３側に引き付けることにより桁側幅木２を掴持するようにしたものである。この実施形態の掴持フック４によれば、掴持フック４の構造が簡単で部品点数が少なく、製作コストを低減できる利点がある。
【００４６】
図８の(c) に示す掴持フック４は、水平部３７ａの先端から垂直部３７ｂが下向きに突設され更に垂直部３７ｂの先端から突端部３７ｃが水平部３７ａと平行に内向きに突設されたフック本体３７と、端部枠７の上壁部７ｏに水平方向回転可能に取り付けてあって、フック本体３７の水平部３７ａをスライド可能に支持するフック支持部材３８と、フック本体３７とフック支持部材３８との間に介装されていて、フック本体３７をその突端部３７ｃが常時突出方向に引っ張られるように付勢するコイルバネ３９と、からなるもので、フック本体３７を前記桁側幅木２の上端部に係嵌させ、コイルバネ３９の付勢力で桁側幅木２を幅木本体３側に引き付けることによって桁側幅木２を掴持するようにしたものである。この図８の(c) に示す実施形態によれば、掴持フック４の構造が簡単であるから、製作コストを低減できる利点がある。
【００４７】
図９の(a) は掴持フック４の更に他の実施形態を示す斜視図であり、(b) はその正面図である。この掴持フック４は、基端部が取付軸１４により幅木本体３の端部上面に水平方向回転可能に取り付けられる断面矩形状の水平材４１と、上端部に設けた前記水平材４１の断面形状に対応する形状の角孔（貫通孔）４３に水平材４１を嵌挿させることによって水平材４１にスライド可能に取り付けられる垂直材４２と、この垂直材４２の下端部に設けたネジ孔４４に螺通された締付用螺軸１１とからなるもので、水平材４１及び垂直材４２を前記桁側幅木２の上端部に乗せ掛け、水平材４１に沿って垂直材４２を適宜にスライドさせて螺軸１１先端部を桁側幅木２の側壁部に当接させた状態で、締付用螺軸１１を回して締め込むことにより、垂直材４２の角孔（貫通孔）４３が水平材４１に対し噛み込み力を発生させて垂直材４２をロックし、それによって桁側幅木２の端部を掴持するようになっている。図９の(b) は、垂直材４２が水平材４１に対しロック解除されている状態を示す。
【００４８】
水平材４１の先端部には、この水平材４１に嵌挿された垂直材４２が水平材４１から抜け出るのを防ぐための抜け止め部４５が設けられている。この抜け止め部１５はリベットやプレス加工による切起し等の突起物からなる。
【００４９】
また、垂直材４２の下部４２ｂ側は、桁側幅木２に近づくように、上部４２ａ側に対しα°、例えば１１°傾斜している。また、締付用螺軸１１の先端部には、図８の(a) に示す掴持フック４と同様に、桁側幅木２の幅木本体１７の側壁部外面に当接する皿形の当て金３５が回転可能に取り付けられている。
【００５０】
図１０の(a) 〜(c) は上記構成の掴持フック４の使用状態を示すもので、先ず(a) に示すように、掴持フック４の水平材４１及び垂直材４２を桁側幅木２の幅木本体１７の上端部に載せ掛け、そうして(b) に示すように垂直材４２を水平材４１に沿って桁側幅木２に近づく方向に適宜にスライドさせて、螺軸１１の先端部の当て金３５を幅木本体１７の側壁部外面に当接させ、この状態から(c) に示すように蝶形把手１５を回転操作して締付用螺軸１１を締め込んでゆくと、図１１に示すように、垂直材４２の角孔（貫通孔）４３がその両端側で水平材４１に対し噛み込み力Ｆを発生して、垂直材４２が水平材４１に対しロックされ、それによって掴持フック４が桁側幅木２を出隅用幅木１側に引き付けた状態に掴持する。
【００５１】
この場合、図１１から分かるように、垂直材４２上端部に設けてある角孔（貫通孔）４３とこれに嵌挿される水平材４１との間には僅かな隙間があるため、締付用螺軸１１を締め込んでゆくと、垂直材４２は、上端部の角孔４３を中心として桁側幅木２の幅木本体１７から離れるように傾動し、従って角孔４３の上壁面４３ａと水平材４１の上側面との隙間では、上壁面４３ａの前端縁（取付軸１４に近い方の端縁）が水平材４１の上側面に噛み込んで、後端縁が水平材４１の上側面から持ち上がる（持ち上がり角度βは例えば３．７°）と同時に、角孔４３の下壁面４３ｂと水平材４１の下側面との隙間では、下壁面４３ｂの後端縁（取付軸１４から遠い方の端縁）が水平材４１の上側面に噛み込んで、前端縁が水平材４１の上側面から角孔４３の上壁面４３ａの後端縁と同じ角度βだけ持ち上がり、しかして角孔４３の上壁面４３ａの前端縁と下壁面４３ｂの後端縁とが水平材４１の上下側面に対し夫々噛み込み力Ｆを発生するから、締付用螺軸１１を軽く締め込むだけで、垂直材４２が水平材４１に対しロックされ、掴持フック４が桁側幅木２を確実強固に掴持することができる。尚、この実施形態では、貫通孔４３として角孔を採用しているが、角孔に限るものではなく、水平材４１として、断面円形状のものを使用し、垂直材４２の貫通孔４３を丸孔とすることもできる。但し、この実施形態のように、水平材４１として断面矩形状のものを使用して、貫通孔４３を角孔とした場合は、水平材４１に対する垂直材４２の貫通孔の噛み込み力Ｆを有効に発生させることができる。
【００５２】
また、この場合、垂直材４２の下部４２ｂ側が桁側幅木２に近づくように上部４２ａ側に対し所要角度αだけ傾斜していることから、垂直材４２の全体が真っ直ぐに形成されている場合に比べ、締付用螺軸７の締め付けによって垂直材１２の水平材１１への前記噛み込みを良好にすると共に、締付用螺軸７が螺合する垂直材１２の下部１２ｂ側が垂直方向に若干量変位するため締付用螺軸７の締め付け操作が容易になる利点がある。
【符号の説明】
【００５３】
Ｐａ，Ｐｂ    足場板
１            出隅用幅木
２            桁側幅木
３            出隅用幅木の幅木本体
４            掴持フック
８            水平支軸
９            固定手段
１０          掴持フックのフック本体
１１          締付用螺軸
１３          ナット
１４          取付軸
１６          回転防止ピン
２４          ピン孔
２５          コイルバネ
３５          皿形の当て金
４１          水平材
４２          垂直材
４３          角孔（貫通孔）
４４          ネジ孔
４５          抜け止め部
【図１】
0005437013.tif 000002
【図２】
0005437013.tif 000003
【図３】
0005437013.tif 000004
【図４】
0005437013.tif 000005
【図５】
0005437013.tif 000006
【図６】
0005437013.tif 000007
【図７】
0005437013.tif 000008
【図８】
0005437013.tif 000009
【図９】
0005437013.tif 000010
【図１０】
0005437013.tif 000011
【図１１】
0005437013.tif 000012